(57)【要約】【課題】振動を減衰しつつも正確な作業を行える電動工具の提供。【解決手段】第一把持部であるメインハンドル１１を有するハウジング１０と、ハウジング１０に支持され、切断部２５が装着されると共に切断部２５を駆動するモータ２３を備えるモータユニット２０と、ハウジング１０とモータユニット２０との間に介在しハウジング１０に対してモータユニット２０を弾性的に支持する減衰材３０とを有し、モータユニット２０には、ハウジング１０から露出して把持可能な第二把持部である第一サブハンドル２６が備えられた電動工具を提供する。【選択図】図２
2010274385.tif 000002
【特許請求の範囲】
【請求項１】
第一把持部を有するハウジングと、
該ハウジングに支持され、先端工具が装着可能であると共に該先端工具を駆動するモータを備えるモータユニットと、
該ハウジングと該モータユニットとの間に介在し該ハウジングに対して該モータユニットを弾性的に支持する減衰材とを有し、
該ハウジングから突出した第二把持部が該モータユニットに備えられていることを特徴とする電動工具。
【請求項２】
該第二把持部は、該先端工具が装着された状態で該第一把持部と該先端工具との間に位置するように配置されていることを特徴とする請求項１に記載の電動工具。
【請求項３】
該先端工具は該ハウジングの下端に設けられ、該ハウジングの上部には開口部が形成され、
該第二把持部は、該モータユニットと一体的に形成されると共に該開口部から露出し該先端工具側に向けて突出していることを特徴とする請求項１又は請求項２のいずれかに記載の電動工具。
【請求項４】
該第一把持部と第二把持部とは、それぞれ第一把持領域と第二把持領域とをそれぞれ有し、
該第一把持領域と該第二把持領域とのいずれか一方は、該先端工具の延出方向に直交する方向に延出されて構成され、
該第一把持領域と該第二把持領域とのいずれか他方は、該第一把持領域と該第二把持領域とのいずれか一方の延出方向と直交する方向に延出されて構成されていることを特徴とする請求項１乃至請求項３のいずれか一に記載の電動工具。
【請求項５】
該ハウジングの該開口部を画成する周縁と該第二把持部との間には、該ハウジングと該モータユニットとの相対移動を許容する隙間が形成されていることを特徴とする請求項３に記載の電動工具。
【請求項６】
該ハウジングは二分割に構成され、該モータユニットは該モータを内包して支持するモータハウジングを有し、該ハウジングと該モータハウジングとの少なくとも一部は互いに重なって二層構造を採っていることを特徴とする請求項1乃至請求項５のいずれか一に記載の電動工具。
【請求項７】
該モータハウジングには、該ハウジングと互いに重なり合う領域に複数の風窓が形成されていることを特徴とする請求項６に記載の電動工具。
【請求項８】
該第二把持部は、少なくとも二箇所の把持領域を備えていることを特徴とする請求項１に記載の電動工具。
【請求項９】
該第二把持部は、該モータユニットに着脱可能に設けられていることを特徴とする請求項１に記載の電動工具。
【請求項１０】
第一把持部を有するハウジングと、
該ハウジングに支持され、先端工具が装着可能であると共に該先端工具を駆動するモータを備えるモータユニットと、
該先端工具が装着された状態で該第一把持部と該先端工具との間に位置するように配置された第二把持部及び第三把持部とを有し、
該第二把持部は該モータユニットに接続され、該第三把持部は該ハウジングに接続され、該第二把持部と該第三把持部とは選択的に把持されることを特徴とする電動工具。
【発明の詳細な説明】
【技術分野】
【０００１】
本発明は電動工具に関し、特に振動が発生する電動工具に関する。
【背景技術】
【０００２】
従来より、電動工具において、電動工具本体操作用のメインハンドル部を有する本体ハウジングと、モータやギヤ及び先端工具を装着可能な装着部を含んで構成されるモータユニットとが弾性体を介して接続され、一体に組込まれた電動工具が公知になっている（例えば特許文献１）。この電動工具では、弾性体を介してモータユニットとハウジングとを連結しているため、モータユニットで発生する振動がハウジングに伝わり難くなっている。
【先行技術文献】
【特許文献】
【０００３】
【特許文献１】特開２００４−１７４７０７号公報
【発明の概要】
【発明が解決しようとする課題】
【０００４】
この様な構成の電動工具では弾性体により好適に振動を減衰しているが、弾性を介してハウジングとモータユニットとが接続されるため、メインハンドル部に対してモータユニットが任意の範囲で動いていた。よって作業時にモータの振動や先端工具が動作する際の振動が影響し、微調整を伴う正確な作業が行い難い問題があった。よって本発明は振動を減衰可能な構成であり、かつ正確な作業を行うことができる電動工具を提供することを目的とする。
【課題を解決するための手段】
【０００５】
上記課題を解決するために本発明は、第一把持部を有するハウジングと、該ハウジングに支持され、先端工具が装着可能であると共に該先端工具を駆動するモータを備えるモータユニットと、該ハウジングと該モータユニットとの間に介在し該ハウジングに対して該モータユニットを弾性的に支持する減衰材とを有し、該ハウジングから突出した第二把持部が該モータユニットに備えられた電動工具を提供する。
【０００６】
この様な構成によると、ハウジングに設けられた第一把持部のみを把持している状態では、モータユニットで発生する振動が減衰材を介して減衰されてハウジングに伝達されるため、作業者に振動が伝達することは抑制され、好適な作業が行える。また第二把持部を把持した状態では、先端工具が装着されるモータユニットを直接把持するため、先端工具を正確に所望の位置に配置し、正確な作業をすることができる。
【０００７】
上記構成の電動工具において、該第二把持部は、該先端工具が装着された状態で該第一把持部と該先端工具との間に位置するように配置されていることが好ましい。
【０００８】
この様な構成によると、第一把持部を把持した状態で第二把持部を把持しやすくなるので、より正確に先端工具を所望の位置に配置することができる。
【０００９】
また該先端工具は該ハウジングの下端に設けられ、該ハウジングの上部には開口部が形成され、該第二把持部は、該モータユニットと一体的に形成されると共に該開口部から露出し該先端工具側に向けて突出していることが好ましい。
【００１０】
この様な構成によると、第二把持部を保持しやすくなり、第二把持部を確実に保持することができる。
【００１１】
また該第一把持部と第二把持部とは、それぞれ第一把持領域と第二把持領域とをそれぞれ有し、該第一把持領域と該第二把持領域とのいずれか一方は、該先端工具の延出方向に直交する方向に延出されて構成され、該第一把持領域と該第二把持領域とのいずれか他方は、該第一把持領域と該第二把持領域とのいずれか一方の延出方向と直交する方向に延出されて構成されていることが好ましい。
【００１２】
この様な構成によると、第一把持部と第二把持部との両方を保持した際に、確実に第一把持部及び第二把持部を保持することができ、作業性を増すことができる。
【００１３】
また該ハウジングの該開口部を画成する周縁と該第二把持部との間には、該ハウジングと該モータユニットとの相対移動を許容する隙間が形成されていることが好ましい。
【００１４】
この様な構成によると、ハウジングに対してモータユニットが振動した際に、モータユニットがハウジングの開口部周辺に当接することが抑制される。よって当接に起因する衝撃に基づく振動の発生が抑制される。
【００１５】
また該ハウジングは二分割に構成され、該モータユニットは該モータを内包して支持するモータハウジングを有し、該ハウジングと該モータハウジングとの少なくとも一部は互いに重なって二層構造を採っていることが好ましい。この様な構成によると、容易にハウジングを構成することができる。
【００１６】
該モータハウジングには、該ハウジングと互いに重なり合う領域に複数の風窓が形成されていることが好ましい。
【００１７】
この様な構成によると、モータハウジング内を風窓から冷却することができる。またハウジングと重なり合う領域に風窓が有るため、風窓からモータハウジング内にゴミ等が入ることが抑制される。
【００１８】
また該第二把持部は、少なくとも二箇所の把持領域を備えていてもよい。この様な構成によると、作業状態によって第二把持部の把持する箇所を変更することができる。
【００１９】
また該第二把持部は、該モータユニットに着脱可能に設けられていてもよい。この様な構成によると、第二把持部を使用しない時には、第二把持部を取り外し、第二把持部を使用するときのみ装着することができる。
【００２０】
また上記課題を解決するために本発明は、第一把持部を有するハウジングと、該ハウジングに支持され、先端工具が装着可能であると共に該先端工具を駆動するモータを備えるモータユニットと、該先端工具が装着された状態で該第一把持部と該先端工具との間に位置するように配置された第二把持部及び第三把持部とを有し、該第二把持部は該モータユニットに接続され、該第三把持部は該ハウジングに接続され、該第二把持部と該第三把持部とは選択的に把持されてもよい。
【発明の効果】
【００２１】
本発明によれば、振動を減衰可能な構成であり、かつ正確な作業を行うことができる電動工具を提供することができる。
【図面の簡単な説明】
【００２２】
【図１】本発明の電動工具を刈込機に適用した実施の形態に係る側面図。
【図２】本発明の電動工具を刈込機に適用した実施の形態に係る側面断面図。
【図３】図２のIII−III線に沿った断面図。
【図４】図２のIV−IV線に沿った断面図。
【図５】本発明の電動工具を刈込機に適用した実施の形態の変更例に係る側面図。
【発明を実施するための形態】
【００２３】
以下、本発明の第一実施の形態の電動工具として、生垣等の剪定に用いられる刈込機について図１乃至図３に基づき説明する。図１に示される刈込機１は、主にハウジング１０と、モータユニット２０と、弾性体３０とから構成されている。
【００２４】
ハウジング１０は、刈込機１の外殻を成しており、図１の紙面を分割面と平行な面として略二等分割されて構成され、第一把持部であるメインハンドル１１、後述のモータ２３を駆動するスイッチ１２等を備えている。メインハンドル１１には、後述の切断部２５の延出方向と略平行に延び作業者が把持する領域である第一把持領域１１Ａが規定されている。スイッチ１２は第一把持領域１１Ａの最も切断部２５側に配置されている。以下、メインハンドル１１から後述の切断部２５に向かう方向を前後方向と規定し、図１紙面上において前後方向と直交する方向を上下方向と規定して説明する。
【００２５】
ハウジング１０において、第一把持領域１１Ａの前側位置には、後側上方から前側下方に延びる斜面で切断された状態の開口部１０ａが形成されている。ハウジング１０において開口部１０ａの前側かつ下方位置には、第三把持部である第二サブハンドル１３が設けられている。第二サブハンドル１３は、図１の紙面において前側上方に向けて斜めに延びる一対の腕部と、一対の腕部を繋ぎ図１の紙面と直交する方向に延びる連結部とから構成されている。尚、図１においては、一対の腕部の内の一方のみが図示されている。また第二サブハンドル１３の連結部には図１の紙面と直交する方向に延びる第三把持領域１３Ａが規定されており、第二サブハンドル１３の一対の腕部には一対の腕部のそれぞれに沿って図１の紙面と平行に延びる第四把持領域１３Ｂがそれぞれ規定されている。
【００２６】
ハウジング１０の最後端部には、後述のモータ２３に電力を供給する電池１４が設けられている。またハウジング１０において、第二サブハンドル１３の根元近傍位置に第一ネジ１５Ａが配置されており、１５Ａの後方には第二ネジ１５Ｂが配置されている。図３に示されるように、これら第一ネジ１５Ａ、第二ネジ１５Ｂにより二分割のハウジング１０が接合されている。
【００２７】
モータユニット２０は、図２に示されるように、モータハウジング２１と、ベースプレート２２と、モータ２３と、クランク機構２４と、切断部２５とから主に構成されている。モータハウジング２１は、図２の紙面と平行な分割面で略二等分割されて構成されてモータユニット２０の外殻を成し、内部にモータ２３、クランク機構２４等を内蔵しており、ハウジング１０内に配置されて弾性体３０を介してハウジング１０に接続されている。モータハウジング２１の上端部分はハウジング１０の開口部１０ａから前側に向けて突出しており、この突出している部分が第二把持部である第一サブハンドル２６を構成している。第一サブハンドル２６において、最前端部分には図２の紙面と直交する方向に延びる第二把持領域２６Ａが規定されている。
【００２８】
またモータハウジング２１は、ハウジング１０の開口部１０ａを画成する周縁と第一サブハンドル２６との間にハウジング１０に対するモータユニット２０の移動を許容する隙間が形成されるように構成されている。この隙間は、少なくともモータユニット２０が振動した際にモータユニット２０と開口部１０ａの周縁とが当接しない程度に形成されている。この様な構成を採ることにより、ハウジング１０に対してモータユニット２０が振動した際に、モータユニット２０がハウジング１０の開口部周辺に当接することが抑制される。よってハウジング１０とモータユニット２０との当接に起因する衝撃に基づく振動が抑制される。
【００２９】
またモータハウジング２１においてハウジング１０と重なり合う位置には風窓２１ａが複数形成されている。この風窓２１ａを形成することにより、モータハウジング２１内を風窓２１ａから冷却することができる。またハウジング１０と重なり合う領域に風窓２１ａが形成されているため、風窓２１ａからモータハウジング２０内にゴミ等が入ることが抑制される。
【００３０】
ベースプレート２２は、平面状に構成され、モータハウジング２１に一体に装着されると共に切断部２５を保持している。モータ２３は、電池１４から電力を供給されており、スイッチ１２のＯＮ／ＯＦＦに連動して回転・停止する。クランク機構２４は、ギヤとクランクとの組合せから構成され、モータ２３の回転を減速すると共に、モータ２３の回転運動を、切断部２５の延伸方向の往復運動（第一方向）、若しくは第一方向と第一方向に直交する第二方向との二つの方向から定義される平面的な往復運動に変更している。
【００３１】
切断部２５はベースプレート２２に固定され延伸方向を長尺としたフレームに複数の切断刃が重ね合わされて構成されており、複数の切断刃がクランク機構２４に接続されて、延伸方向である第一方向のみ往復運動（単振動）、若しくは第一方向と第二方向との平面的な往復運動するように構成されている。
【００３２】
弾性体３０は、ゴム等の減衰材から構成されており、図１及び図３に示されるように、ハウジング１０に設けられた第一ネジ１５Ａ、第二ネジ１５Ｂ回りにそれぞれ配置されてハウジング１０とモータユニット２０とを接続する一対の第一ブッシュ３１と、図２及び図４に示されるように、ハウジング１０の一方の側壁とモータユニット２０の一方の側壁との間、及びハウジング１０の他方の側壁とモータユニット２０の他方の側壁との間にそれぞれ配置されてハウジング１０とモータユニット２０とを接続する一対の第二ブッシュ３２とを備えている。第一ブッシュ３１は、ハウジング１０に対するモータユニット２０の前後方向及び上下方向の振動を主に減衰しており、第二ブッシュ３２はハウジング１０に対するモータユニット２０の側面方向及び上下方向の振動を主に減衰している。
【００３３】
上記構成の刈込機１で作業を行う際に、作業者は、少なくとも一方の手でメインハンドル１１の第一把持領域１１Ａを保持する。他方の手は、第一サブハンドル２６の第二把持領域２６Ａと、第二サブハンドル１３の第三把持領域１３Ａと、第二サブハンドル１３の第四把持領域１３Ｂとのいずれか一を選択的に把持することができる。第一把持領域１１Ａに対して第二把持領域２６Ａ〜第四把持領域１３Ｂはいずれも直交若しくは交差しているため、把持しやすい構成になっており作業者が確実に保持することができる。またメインハンドル１１と切断部２５との間に第一サブハンドル２６及び第二サブハンドル１３が位置しているため、メインハンドル１１を把持した状態で、第一サブハンドル２６及び第二サブハンドル１３のいずれか一の把持領域を持ちやすくなっている。
【００３４】
作業者がメインハンドル１１のみ、若しくはメインハンドル１１と第二サブハンドル１３とを把持した場合には、ハウジング１０は弾性体３０を介してモータユニット２０に接続されているため、モータユニット２０の振動は弾性体３０で減衰されてメインハンドル１１と第二サブハンドル１３とに伝えられる。よってメインハンドル１１と第二サブハンドル１３を把持した場合に、作業者には過度の振動が伝えられることはなく、作業者は好適に作業を行うことができる。
【００３５】
次に作業者がメインハンドル１１と第一サブハンドル２６とを把持した場合には、第一サブハンドル２６がモータユニット２０の一部分であるため、メインハンドル１１を把持しつつ第一サブハンドル２６を把持することにより、モータユニット２０にブレが生じ難くなり、切断部２５の操作性が増し、切断部２５を所望の位置に配置して、正確な切断作業を行うことができる。
【００３６】
本発明の電動工具については、上述した実施の形態に限定されず、特許請求の範囲に記載された範囲で種々の改良や変形が可能である。例えば図５に示されるように、着脱可能な第二把持部として第二サブハンドル１１３を設けてもよい。
【００３７】
この第二サブハンドル１１３は、図１に示される第三サブハンドル１３と同様の構成を採っており、図５に示されるハウジング１０とモータユニット２０との両方に選択的に装着可能に構成されている。よって第二サブハンドル１１３をハウジング１０とモータユニット２０との間で選択的に装着することにより、作業者への振動の伝達が抑制された状態と、切断部２５を所望の位置に配置して正確な切断作業を行える状態とのいずれかの状態を選択的に得ることができる。また第二サブハンドル１１３には、第二把持領域１１３Ａ及び第三把持領域１１３Ｂの二箇所の把持領域があるため、作業状態によって、把持する箇所を選択することができる。
【００３８】
尚、本発明では、ハウジング１０に接続される第一把持部であるメインハンドル１１とモータユニット２０に接続される第二把持部である第一サブハンドル２６とを同時に把持する構成について説明したが、第二把持部にモータを駆動するスイッチ等を設ける構成を採るならば、第二把持部のみを保持する構成を採ってもよい。また本発明の電動工具として刈込機を例示したがこれに限らず、振動が発生する電動工具、例えばハンマドリル等であればいずれも本発明が適用可能であるのは言うまでもない。
【符号の説明】
【００３９】
１・・刈込機  １０・・ハウジング  １０ａ・・開口部  １１・・メインハンドル
１１Ａ・・第一把持領域  １２・・スイッチ  １３・・第二サブハンドル
１３Ａ・・第三把持領域  １３Ｂ・・第四把持領域  １４・・電池  １５Ａ・・第一ネジ
１５Ｂ・・第二ネジ  ２０・・モータユニット  ２１・・モータハウジング
２１ａ・・風窓  ２２・・ベースプレート  ２３・・モータ  ２４・・クランク機構
２５・・切断部  ２６・・第一サブハンドル  ２６Ａ・・第二把持領域  ３０・・弾性体
３１・・第一ブッシュ  ３２・・第二ブッシュ
【図１】
2010274385.tif 000003
【図２】
2010274385.tif 000004
【図３】
2010274385.tif 000005
【図４】
2010274385.tif 000006
【図５】
2010274385.tif 000007